(57)【特許請求の範囲】
【請求項１】
コンクリート型枠を形成するための互いに対向する上端及び下端を有するフォーム・パネル（10）であって、
（ａ）複数の共通平面上端通路（58）と、前記上端通路（58）はそれぞれ上端内に位置し、かつ同上端まで所定の深さから延び、さらには上端に沿って規則的に間隔を隔てて配置されていることと、
（ｂ）複数の共通平面下端通路（58）と、前記下端通路（58）はそれぞれ下端内に位置し、かつ同下端まで所定の深さから延び、さらには下端に沿って規則的に間隔を隔てて配置されており、前記各上端通路は下端通路のうちの対応する１つに対して共通平面内で垂直方向に整列されていることと、
（ｃ）前記各上端通路及び下端通路に対して提供された斜状Ｖ字形通路と、同斜状Ｖ字形通路は前記所定の深さに沿って対応する上端通路または下端通路に対してそれぞれ直交し、さらにはパネルの長尺面に向かって次第に浅くなるように延びる一方で、同パネルの上端または下端において長尺面を実質的に通過して延びることがないこと
を含むフォーム・パネル。
【請求項２】
（ａ）前記複数の上端通路（58）間において上端から上方へ向かって延び、かつ同上端に沿って規則的に間隔を隔てて配置された複数の突出部（26）と、
（ｂ）前記複数の下端通路（58）間において下端内に形成され、かつ同下端に沿って規則的に間隔を隔てて配置された複数の係合用凹部（28）と、
前記各突出部は係合用凹部のうちの対応する１つに対して垂直方向に整列されていること
を含む請求項１に記載のフォーム・パネル。
【請求項３】
垂直方向に整列した各対をなす上端通路及び下端通路（58）に対して提供された少なくとも１つのスコア・マーク（64）を有し、同スコア・マーク（64）は前記通路対の中心においてパネルの長尺面の上を垂直方向に横切って延びる請求項２に記載のフォーム・パネル。
【請求項４】
前記上端通路及び下端通路（58）は、その開口部から底部にかけてテーパー状をなしている請求項１に記載のフォーム・パネル。
【請求項５】
コンクリート型枠を形成すべく２つ以上のフォーム・パネル（10,12）を連結するコネクタ（18）であって、
（ａ）横方向に互いに対向し、かつ垂直方向に平行に延びる第１の平面部分及び第２の片面部分（30,32）を連結する第１のバー（38）と、
（ｂ）横方向に互いに対向し、かつ垂直方向に平行に延びる第３の平面部分及び第４の平面部分（34,36）を連結する第２のバー（40）と、
（ｃ）前記平面部分（30,32,34,36）から内側へ向かって離間し、さらには第１のバー及び第２のバー（38,40）と一体をなすとともに、同第１のバー及び第２のバー（38,40）を互いに離間し、かつ平行をなす状態に連結する格子（42）と、同格子（42）は、
（ｉ）共通平面内における第１の平面部分及び第３の平面部分（30,34）の整列と、
（ii）共通平面内における第２の平面分及び第４の平面部分（32,36）の整列と
を維持すること
を含み、第１のバー及び第２のバー（38,40）は、同第１のバー及び第２のバーを別のコネクタの対応する第１のバー及び第２のバーに対して係合させて連結すべくノッチ（52,54）をそれぞれ有するコネクタ。
【請求項６】
前記格子（42）は共通平面内における第１のバー及び第２のバー（38,40）の整列を更に維持する請求項５に記載のコネクタ。
【請求項７】
前記第１の平面部分、第２の平面部分、第３の平面部分及び第４の平面部分は第１のバー及び第２のバーに対して垂直方向に同一の長さを有する請求項６に記載のコネクタ。
【請求項８】
第１のバー及び第２のバー（38,40）と、対応する平面部分（30,32,34,36）との間の連結部は前記バー上に形成された裾広がりの斜状Ｖ字形突起（44,46,48,50）を含み、同突起は前記平面部分から内側へ向かって離間したバー上のポイントから平面部分の外端まで上方または下方へ延びている請求項５に記載のコネクタ。
【請求項９】
第１のバー及び第２のバー（38,40）は同バーを通って横方向に延びる１つ以上の補強ロッドを支持するノッチ（56）をそれぞれ有する請求項５に記載のコネクタ。
【請求項１０】
複数のフォーム・パネル（10,12,14,16）及び複数のコネクタ（18,20）を有するコンクリート型枠システムであって、
（ａ）前記コネクタは、
（ｉ）横方向に互いに対向し、かつ垂直方向に平行に延びる第１の平面部分及び第２の平面部分（30,32）を連結する第１のバー（38）と、
（ii）横方向に互いに対向し、かつ垂直方向に平行に延びる第３の平面部分及び第４の平面部分（34,36）を連結する第２のバー（40）と、
（iii）第１のバー及び第２のバーと一体をなすとともに、同第１のバー及び第２のバーを互いに離間し、かつ平行をなす状態に連結する格子（42）と、同格子（42）は、
（Ａ）共通平面内における第１の平面部分及び第３の平面部分（30,34）の整列と、
（Ｂ）共通平面内における第２の平面分及び第４の平面部分（32,36）の整列と、
（Ｃ）前記複数のバーの間の固定された変位と
を維持することと、
（ｂ）前記各パネルは、
（ｉ）互いに対向する上端及び下端と、
（ii）前記上端まで延び、かつ同上端に沿って規則的に間隔を隔てて配置された複数の共通平面上端通路（58）と、
（iii）前記下端まで延び、かつ同下端に沿って規則的に間隔を隔てて配置された複数の共通平面下端通路（58）と、前記各上端通路（58）は下端通路（58）のうちの対応する１つに対して共通平面内で垂直方向に整列されていることと、前記上端通路及び下端通路（58）は前記コネクタの平面部分のうちの対応する１つの半分を収容するサイズ及び形状をそれぞれ有すること
を含み、
前記各パネルはさらに、各上端通路及び下端通路（58）に対して提供された斜状Ｖ字形通路を備え、同斜状Ｖ字形通路は対応する上端通路または下端通路に対してそれぞれ直交し、さらにはパネルの長尺面に向かって次第に浅くなるように延びる一方で、同パネルの上端または下端において長尺面を実質的に通過して延びることがなく、
前記第１のバー及び第２のバー（38,40）と、対応する平面部分（30,32,34,36）との間の連結部は、前記斜状Ｖ字形通路内へ収容可能な裾広がりの斜状Ｖ字形突起（44,46,48,50）を含み、同突起は前記平面部分から内側へ向かって離間したバー上のポイントから平面部分の外端まで上方及び下方へそれぞれ延びているコンクリート型枠システム。
【請求項１１】
（ａ）第１の平面部分、第２の平面部分、第３の平面部分及び第４の平面部分は第１のバー及び第２のバーに対して垂直方向に同一の長さを有することと、
（ｂ）各上端通路及び下端通路（58）は前記垂直方向の長さの半分の長さを僅かに越える深さを有すること
を含む請求項10に記載のコンクリート型枠システム。
【請求項１２】
前記上端通路及び下端通路（58）は対応する平面部分（30,32,34,36）の幅を僅かに越える幅を有する請求項11に記載のコンクリート型枠システム。
【請求項１３】
前記複数の上端通路（58）間及び複数の下端通路（58）間の間隔は前記複数のバー（38,40）間の変位に等しい距離だけ変位されている請求項11に記載のコンクリート型枠システム。
【請求項１４】
前記上端通路及び下端通路（58）は、その開口部から底部にかけてテーパー状をなしている請求項11に記載のコンクリート型枠システム。
【請求項１５】
前記格子（42）は共通平面内における第１のコネクタ・バー及び第２のコネクタ・バーの整列を更に維持する請求項11に記載のコンクリート型枠システム。
【請求項１６】
第１のコネクタ・バー及び第２のコネクタ・バー（38,40）は同第１のバー及び第２バーを別のコネクタの対応する第１のバー及び第２のバーに対して係合させて連結すべくノッチ（52,54）をそれぞれ有する請求項11に記載のコンクリート型枠システム。
【請求項１７】
第１のコネクタ・バー及び第２のコネクタ・バー（38,40）は同バーを通って横方向に延びる１つ以上の補強ロッドを支持するノッチ（56）をそれぞれ有する請求項11に記載のコンクリート型枠システム。
【請求項１８】
前記各パネルは、
（ａ）前記複数の上端通路（58）間において上端から上方へ向かって延び、かつ同上端に沿って規則的に間隔を隔てて配置された複数の突出部（26）を有し、
前記型枠システムは複数の壁仕上げ材保持クリップ（86）を更に有し、各クリップ（86）は、
（ｂ）互いにほぼ直交した状態に結合された第１の脚部及び第２の脚部（88,90）と、
（ｃ）前記結合位置から離間した一方の脚部の端部付近において同脚部内に形成された開口（92）と、
（ｄ）前記互いに隣接し、かつ対をなす２つの突出部（26）の間にクリップ（86）を固定すべく、前記一方の脚部の互いに対向する２つの側部にそれぞれ形成された一対のノッチ（94）と、前記開口（92）がパネルの一方の外表面を越えて水平方向に拡がり、他方の脚部は同一パネルの反対側外表面に沿って下方へ延びていること
を含む請求項11に記載のコンクリート型枠システム。
【発明の詳細な説明】
発明の分野
本願は建物建設においてコンクリート壁を形成する型枠に関する。容易に取り扱い得る複数のフォーム・パネルはコンクリートを注入する所望のサイズ及び形状を有するコンクリート型枠を形成すべく互いに連結される。コンクリートが硬化した際、同コンクリートは所望のサイズ及び形状を有する壁を形成する。フォーム・パネルは壁に結合した状態に残され、かつ絶縁体として機能する。
発明の背景
この種の連結可能なフォーム・パネル・システムは従来技術において多数開示されている。この例としては、1989年12月５日に付与されたホロビンによる米国特許第4,884,382号が挙げられる。ホロビンは複数のプラスチック・コネクタを開示している。同コネクタは複数のフォーム・パネルを連結すべく使用され、かつ同フォーム・パネルを互いに離間し、かつ平行をなす状態に保持する。ホロビンが開示するコネクタの互いに対向する２つの端部はＴ字形をなす横断面を有する。複数の係合用Ｔ字形スロットは各フォーム・パネルの頂部から同フォーム・パネルの中央部の僅か下側まで垂直方向にそれぞれ延び、かつ互いに離間している。２つのパネルは同パネルのスロットを有する２つ端面を互いに対向した状態に整列させることにより連結される。コネクタのＴ字形をなす両端部は一対の互い対向するスロット上へそれぞれ配置される。そして、コネクタはＴ字形をなすコネクタ部分を互いに対向する２つのパネル・スロット内へそれぞれ完全に挿入すべく同スロット内へ押し込まれる。同様に、他の複数のコネクタもパネルに沿って互いに離間する別のスロット対内へそれぞれ挿入される。
前記の構造はフォーム・パネルに深いスロットを形成する必要性に起因してフォーム・パネルの強度を低下させる。各パネルは複数のスロットを有し、各スロットはパネルの高さの約2/3及び幅の約7/8にわたって延びている。本発明は適切なパネル連結メカニズムを提供する一方、各パネルの大部分にわたって延びるスロットを必要としないため、パネルの強度を低下させることがない。
複数のフォーム・パネルを同フォーム・パネルの横方向にのみ連結する従来のコネクタとは異なり、本発明に基づくコネクタは複数のパネルを横方向、水平方向及び垂直方向に連結する。これにより、フォーム・パネルからなるコンクリート型枠の構造的完全性を大きく改善する。更に、本願出願人のコネクタは互いに隣接する複数のフォーム・パネル間を連結するのみではなく、パネル及び別のコネクタ間を連結し得る。これにより、コーナー壁の建設を容易にするとともに、特別な端壁（End wall）を必要としない。前記の効果を含む本発明の効果を以下に詳述する。
発明の概要
好ましい実施の形態において、本発明はコンクリート型枠を形成するためのフォーム・パネルを提供する。パネルは互いに対向する上端及び下端を有する。共通平面内に位置する複数の通路（以下、複数の共通平面通路と称する）がパネルの上端まで延び、かつ同上端に沿って規則的に間隔を隔てて配置されている。更に、同数の共通平面通路がパネルの下端まで延び、かつ同下端に沿って同一の規則的間隔を隔てて配置されている。この結果、各上端通路は下端通路のうちの対応する１つに対して垂直方向に整列される。尖った角を有する通路（Augular passage）は上端通路または下端通路に対して直交し、さらにはパネル内側の長手方向に延びる面（以下、パネルの長尺内面と称する）に向かって延びる一方で、同内面を通過して延びることがない。
規格外の長さの型枠を形成する際のパネルの正確な切断を容易にすべく、少なくとも１つのスコア・マーク（Score mark）が垂直方向に整列した各対をなす上端通路及び下端通路に対して提供されている。スコア・マークは通路対の中心において好ましくはパネルの長手方向に延びる両外表面の上を垂直方向に横切る。
更に、本発明はコンクリート型枠を形成すべく２つ以上のフォーム・パネルを連結するコネクタを提供する。コネクタは横方向に互いに対向し、かつ垂直方向に平行に延びる第１の平面部分及び第２の平面部分を連結する第１のバーと、横方向に互いに対向し、かつ垂直方向に平行に延びる同一の第３の平面部分及び第４の平面部分を連結する第２のバーとを有する。格子は２つのバーを互いに離間し、かつ平行をなす状態に連結し、さらには（ｉ）共通平面内における第１の平面部分及び第３の平面部分の整列と、（ii）共通平面内における第２の平面部分及び第４の平面部分の整列と、（iii）２つのバーの共通平面内における整列とを維持する。
第１の平面部分、第２の平面部分、第３の平面部分及び第４の平面部分の垂直方向の長さは同一である。２つのバー及び対応する平面部分の連結部はバー上に形成された尖った角を有する裾拡がりの突起（Flared angular projections）を含む。各突起は平面部分から内側へ向かって離間したバー上のポイントから平面部分の外端まで上方または下方へ延びている。
２つのバーは１つのコネクタのバーを別のコネクタのバーに対して係合させて連結すべくノッチをそれぞれ有する。バー上を通って横方向に延びる１つ以上の補強ロッドを支持すべく別のバー・ノッチを提供可能である。
この結果、本発明は前記した複数のフォーム・パネル及びコネクタを有するコンクリート型枠システムを提供する。上端パネル通路及び下端パネル通路はコネクタ平面部分のうちの対応する１つの半分を収容するサイズ及び形状を有する。特に、上端通路及び下端通路はコネクタの平面部分の垂直方向の長さの半分の長さを僅かに越える深さを有する。更に、各通路の幅はコネクタの平面部分のうちの１つの幅を僅かに上回る。
通路間の間隙は複数のコネクタ・バーの間の変位（Displacement）に等しい。この結果、各コネクタ上の２対の共通平面部分と、これに対応してパネルの上端及び下端に位置する通路対との間の整列が保証される。
パネルの尖った角を有する通路のサイズ及び形状はコネクタ。バー上に位置する尖った角を有する裾広がりの突起のサイズ及び形状に一致する。従って、コネクタの平面部分がパネルの共通平面通路内に収容された際、これらの突起は尖った角を有する通路内に収容される。
【図面の簡単な説明】
図１は本発明の好ましい実施の形態に基づいて形成されたコンクリート型枠の一部斜視図であり、コーナー壁を形成すべく互いに直交する４つのフォーム・パネルの一部と、互いに隣接する複数のパネル・セクション間またはパネル及び別のコネクタ間を連結するコネクタの能力とを示す。
図２は図１の構造の一部平面図であり、壁部分の１つの延長部と、コネクタが互いに対向するパネル・セクションを横方向に連結する様子とを示す。
図３は図２の構造の正面図であり、コネクタが水平方向に互いに隣接する複数のパネル・セクション及び垂直方向に互いに隣接する複数のパネル・セクションをそれぞれ連結する様子を示す。
図４は本発明の好ましい実施の形態に基づいて形成されたコネクタの斜視図である。
図５は図１の構造の一部を詳細に示す平面図であり、型枠内における補強ロッドの配置を示す。
図６は図５の６−６線における縦断面図である。
図7Aは壁仕上げ材の保持クリップを示す斜視図である。図7Bはパネル上に取付けられた保持クリップを示す斜視図である。
好ましい実施の形態の詳細な説明
図１は拡げられた４つの同一のポリスチレン・フォーム・パネル10,12,14,16の一部を示しており、同パネル10,12,14,16はコーナー壁を形成すべくコネクタ18,20,22,24によって連結されている。コネクタはパネル対10,12;及び14,16を互いに離間し、かつ平行をなす状態に保持する。これにより、各壁部分の厚さを限定する。パネル14の細い端部はパネル10の内面に当接しており、パネル12の狭い端部はパネル16の外面に当接している。外側突合せ接合部における厚さの変化を防止すべく、垂直方向に延びる凹み（Indentations）17が各パネルの一面の両端にそれぞれ形成されている。テープ（図示略）はコーナー接合部における構造的剛性を改善すべくパネル10及びパネル14間の外側コーナー接合部の周囲に張り付け可能である。
各フォーム・パネルの長さ方向に延びる上端部は上方へ延出する複数の突出部26によって形成されており、同複数の突出部26はフォーム・パネルの上端に沿って規則的に間隔を隔てて配置されている。複数の係合用凹部28（図６参照）は各パネルの下端に沿って突出部26の間隔に一致する規則的な間隔を隔てて形成されている。突出部26及び凹部28は以下に詳述する所望の高さの壁セクションを形成すべく上下に配置されたパネルの垂直方向の整列を促進する。凹部28を各パネルの下端に限定することは、凹部内への外来物の蓄積の防止を補助する。
従来の組立体では、突出部26及び凹部28に類似するフォーム部分間の連結部は垂直方向に上下に積み重ねられた２つのパネル間の接合部を越えて構造的完全性を提供する主たる手段（多分唯一の手段）である。本発明は同連結部における構造的完全性を大きく改善し、湿った重いコンクリートにより高い負荷を受けた際に同連結部が破裂する傾向を低下させる。これは比較的高い壁（例えば、約2.5〜3m、即ち約８〜10フィートの高さ）の下側部分を形成するパネル間の接合部に特に重要である。前記の効果を含む効果を提供する本発明のコネクタについて以下に詳述する。
図４は本発明に基づくフォーム・パネルを連結するコネクタの好ましい形態を示す。各コネクタは外側に取付けられ、かつ垂直方向に平行に延びる４つの平面部材30,32,34,36を有する。バー38,40は平面部材30,32及び34,36（２つの部材30,34は共通平面内に位置し、別の２つの部材32,36は別の共通平面内に位置する）を互いに離間し、かつ平行をなす状態に固定すべく同平面部材30,32及び34,36の間にそれぞれ延びている。バー38,40から延出する各部材30,32,34,36の垂直方向における長さは同一である。コネクタは単体プラスチック成形品（Unitary plastic castings）であることが好ましい。複数のバー38,40は同複数のバー38,40の間の固定された変位を維持する格子42により互いにしっかりと連結されている。例えば符号44,46,48,50によって示すように、バー38,40の各端部は対応する平面部材の外端に結合すべく外方及び上方に向かって裾広がりに延びている。以下に詳述するように、これはフォーム・パネルの強度を不適切に低下させることなくコネクタの構造的完全性を強化する。互いに対向するノッチ対52,54は以下に詳述するコネクタの連結を促進すべくバー38,40の上部中央に形成されている。以下に詳述する補強ロッドを収容すべく別の浅いノッチ56がバー38,40の上部に形成されている。
図1,図２及び図６に示すように、コネクタ18,20はフルサイズ・コネクタであり、コネクタ22,24は半値幅コネクタ（“Half−width"connectors）である。半値幅コネクタはフルサイズ・コネクタを２つの半値幅コネクタに分離すべくフルサイズ・コネクタの格子42を切断することによって形成される。一般的に、一方の半値幅コネクタはバー38によって連結された平面部材30,32を有し、他方の半値幅コネクタはバー40によって連結された平面部材34,36を有する。各フルサイズ・コネクタはバー38,40の中心に位置する垂直方向に延びる平面を挟んで対称をなすため、２つの半値幅コネクタは実質的に同一である。
複数の共通平面通路58はパネルの長さ方向に延びる軸に平行をなす各フォーム・パネルの上端及び下端にそれぞれ形成されている。各通路の深さはコネクタの平面部材30,32,34,36の垂直方向の長さの半分の長さより僅かに長く形成されている。裾拡がり部分44,46,48,50の形状に一致する尖った角を有する通路、即ち斜状Ｖ字形通路が各通路58に直交して延びており、裾拡がり部分44,46,48,50はバー38,40及びコネクタ平面部材の間の交差部分を形成している。この尖った角を有する形状、即ち斜状の形状は図１のパネル10の前端面の上部及び下部にそれぞれ示すとともに、図６の縦断面図からも確認可能である（図６において、垂直方向に互いに対向する２つのパネル内に形成された通路は同２つのパネルを垂直方向に連結するコネクタの平面部材によって占領されている）。尖った角を有する通路、即ち斜状Ｖ字形通路はコネクタ及びパネルを完全に連結した際にコネクタ・バー38,40の垂直方向に延びる部分を収容するために必要な僅かな深さを除き、２つのパネルの互いに対向する各内面を貫通して延びることはない。更に、図６に示すように、通路58には頂部から底部にかけて僅かなテーパーが付いている。これは通路内へのコネクタの初期挿入を阻害しないうえ、コネクタを通路内に完全に挿入した際にコネクタ脚部の強力な把持を保証する。
各パネルの下端には垂直方向に各通路58に対向する凹部59（図５に鎖線で示す）が形成されている。凹部59はバー38,40及び平面部材30,32,34,36の結合部位付近のポイント45,47（図４参照）における水平方向の断面に一致する形状を有する。凹部はコネクタをフォーム・パネル内へ挿入した際にバー部分45,47を収容する。これにより、垂直方向に互いに対向する２つのパネルの上端及び下端の面一をなす係合を阻害しない。更に、図５は２つのコネクタをコーナー接合部において連結した際に、バー部分45,47が１つのコネクタを別のコネクタのバーの１つに対して連結する様子を符号51において示す。これは連結されたコネクタ網を通じた力の分配を補助し、さらには本発明に基づいて連結された複数のパネルの構造的完全性を改善する。
通路58はコネクタをパネルに沿って間隔を隔てて配置すべく、コネクタの平面部材30,34及び32,36の間の距離に一致する規則的な間隔（パネルの端から始まる通路58のセンタ間の間隔は5cm、即ち２インチが好ましい）を隔てて形成されている。図１に示すように、コネクタ20の下方へ延びる脚部32',36'は未使用通路の両側に位置するパネル14の通路対内へ挿入されている。更に、コネクタ20の反対側に位置する下方へ延びる脚部は未使用通路の両側に位置するパネル16の横方向に整列した通路対内へ挿入されている。（左手側に位置する下側脚部34'はパネル16内へ部分的に挿入されているのみである。これは壁コーナーを形成すべく脚部34'を収容する通路を二分割する線に沿ってパネル16を切断したことに起因する）。
図１に示すように、コネクタ20をパネル14,16内へ完全に挿入した際、脚部32",36"及び30",34"はパネル14,16の上においてそれぞれ上方へ向かって延出している。各コネクタが格子42を含む平面を挟んで対称をなすことと、上端通路のうちの対応する１つと同一であって、かつ同１つの上端通路に対して共通平面内で垂直方向にそれぞれ整列する複数の通路が各パネルの下端に形成されていることにより、複数のパネルを図３に示すように垂直方向に容易に連結し得る。この連結は、新しいパネルの複数の下端通路を別のパネルのコネクタの上方へ延出する脚部上に整列させ、次いで上方へ延出する脚部を下端通路内へ挿入すべく新しいパネルを下方へ押圧することにより実現される。同一動作により、一方のパネル内の各突出部26を他方のパネルの各凹部28内へ挿入し得る。
図３に示すように、垂直方向に整列する複数のフォーム・パネルによって構成される複数のパネル行を有する壁セクション60が敷板（Toe plates）62に隣接して形成されている。敷板62は底部パネルの下端エッジを支持すべく2x4構造部材またはこれに類する適切な構造部材から形成し得る。壁セクション60の正面部分は６つのフォーム・パネルを有している。そして、垂直方向に整列した３つのパネル行は２つのパネルをそれぞれ有している。
フルサイズ・コネクタの他に、複数のハーフハイト・コネクタ（“Half−height"connectors）61が提供されている。ハーフハイト・コネクタは図６のＣ−Ｃ線で示す格子42を含む平面に沿ってフルサイズ・コネクタを２分割することにより独立して形成される。ハーフハイト・コネクタは格子の片側のみから垂直方向に延出する平面部材を有する。ハーフハイト・コネクタの平面部材は壁セクションの頂部パネル行を形成する複数のパネルの頂部エッジと、壁セクションの底部パネル行を形成するパネルの底部エッジとのうちのいずれか一方の中へ挿入されている。ハーフハイト・コネクタは互いに相反する方向へ延出する複数の平面部材を有していない（即ち、ハーフハイト・コネクタは脚部30",32",34",36"を有していない）。このため、壁セクションの頂部エッジ及び底部エッジを平坦にできる。（前述したように、半値幅コネクタはフルサイズ・コネクタの格子を手作業で切断することにより現場で形成し得る一方、ハーフハイト・コネクタは独立して形成され、かつフルサイズ・コネクタと伴に供給される。）
図３では、各パネル行に含まれる複数のパネルのうちの１つの全長を両端に矢印を有する実線で示す。長さ方向に互いに隣接する複数のパネルの垂直方向に延びる側端は、構造的完全性の低下を避けるべく垂直方向に上下に配置された２つのパネル行間において交互にずれて配置させている。これは各パネルの外表面上に形成された垂直方向に延びるスコア・マーク64のうちの１つに沿ってパネルを切断し、これにより同パネルを所望の長さに形成することによって実現される。例えば、前記のパネルのずれによる効果を実現すべく、図３に示すパネル66は半分の長さのパネルを形成するために左端を切断している。30.5cm（即ち、１フィート）の間隔を開けて形成されたスコア・マーク64'は、壁用スタッド（Wall stud）に対するパネルの整列及び固定を容易にすべく幅を広げるか、または更に目立つよう形成し得る。
コネクタはコンクリート型枠を更に強化すべく長さ方向に互いに隣接する２つのパネルの当接する端部を越えて同２つのパネルを橋渡しするために取付けられている。この例をコネクタ68,70を用いて示す。コネクタ68,70は長さ方向に互いに隣接する２つのパネル66,72の突合せ接合部74を越えて両パネル66,67を橋渡しするために同パネル66,67の上端及び下端にそれぞれ挿入されている。壁を任意の所望の位置において強化するために別のコネクタを任意で使用し得る。例えば、図３において、別のフルサイズ・コネクタ及び半値幅コネクタ76,78,79は壁をコーナー接合部において強化すべく使用されている。各パネルの上端及び下端の各全長に沿って通路センタ間の間隔を5cm（即ち、２インチ）としたコネクタ収容通路58の形成は、コネクタ挿入ポイントの選択に大きな柔軟性を付与し、かつ選択された領域における壁の構造的完全性を増大する能力を提供する。これとは対照的に、従来のシステムはコネクタ位置決めに関する低い柔軟性を一般的に提供する。この結果、圧力の増加が予測されるポイントにおいて壁セクションを強化する能力が低くなる。
図２に示すように、横方向に互いに対向する複数のパネルも交互にずれて配置されている。この結果、長さ方向に互いに対向する２つのパネルの間の突合せ接合部は横方向に対向するパネル内の突合せ接合部と向き合うことはない。パネル14,14a間の突合せ接合部14'はパネル16,16a及び16a,16bをそれぞれ分離する突合せ接合部16',16"の間に位置しており、これにより壁セクションの構造的完全性を強化する。図２はフルサイズ・コネクタ内の格子42の別の効果、即ち、パネル14,16を長さ方向の相反する方向へそれぞれ滑動させる“破壊力”に対する抵抗性を示す。例えば、半値幅コネクタのみを使用した場合、破壊力は横方向における２つのパネル間の間隙を変化させ、完成された壁幅の望ましくない減少を招来する。
必要に応じて、最大で８つのパネルを横方向、水平方向及び垂直方向に連結すべく１つのフルサイズ・コネクタを使用し得る。特に、フルサイズ・コネクタの片側において共通平面内に位置し、かつ下方へ向かって延出する２つの脚部は長さ方向に互いに隣接する２つのパネルの当接する端部を越えて同２つのパネルを橋渡しすべく使用可能である。コネクタの同一側に位置する２つの上方へ向かって延出する脚部は最初の２つのパネル上に取付けられた長さ方向に互いに隣接する別の２つのパネルの当接する端部を越えて同２つのパネルを橋渡しできる。同一コネクタの反対側に位置する別の４つのパネルを連結すべく同一の配置が繰り返される（この場合、複数の突合せ接合部は垂直方向に上下に隣接するパネル行間において交互にずれることはなく、さらに横方向に互いに対向する複数の突合せ接合部も壁の互いに対向する側部において互いにずれることはない）。
図1,図2,図５及び図６は他のコネクタとともにフォーム・パネルを連結する半値幅コネクタの使用を示し、同半値幅コネクタの使用はコーナー壁の形成を容易にし、かつ同コーナー壁を強化する。より詳細には，各半値幅コネクタ22,24のバー部分41がコネクタ20のバー40のノッチ52,54に係合して連結されている状態を示す。コネクタの連結を促進すべく、２つのノッチ52,54のいずれか一方内における２つのバー38,40のいずれか一方のスナップ係合（Snap−fitting engagement）を実現するために、各コネクタはノッチ52,54及びバー38,40を有する。
図５及び図６に示すように、従来のコンクリート補強ロッド（“鉄筋”）80,82,84は同ロッド80,82,84を各コネクタのバー38,40の頂部にそれぞれ形成されたノッチ56内へ配置することにより型枠内において整列させ得る。
合板、ドライ壁（“ウォール・ボード”または“シート・ロック”とも称される）及び他の壁仕上げ材料のいずれか１つを、壁の両側に絶縁体としてそれぞれ残されるフォーム・パネルに直接固定し得る。このような状況下において、従来のシステムは防火安全基準を満たすのに問題がある。特に、火事における高温はフォーム・パネルまたは接着剤の損傷を招来し得る。接着剤は仕上げ材料を内側壁パネルに結合すべく頻繁に使用され、接着剤の損傷により壁仕上げ材料は部屋内へ倒壊し得る。この問題を解決すべく以下に詳述する図7A及び図7Bのクリップ86を使用する。
クリップ86は互いに直交して延びる脚部88,90を有する。開口92及び複数の丸いノッチ94は脚部88に形成されている。脚部88,90はフォーム・パネルの頂部に位置し、かつ互いに隣接する一対の突出部26間にノッチ94を適切に取付け得るサイズを有する。脚部90はパネルの外表面に沿って真っ直ぐに延びており、脚部88はパネルの内表面から十分に離間した位置まで後方へ向かって延びている。これにより、開口92はコンクリートを注入する領域内に配置される。コンクリートが開口92を突き抜けて成形され、かつ硬化することにより、同コンクリートはクリップ86を壁に対して固定する。特に、複数のクリップ86が壁の頂部に沿って間隔を隔てて取付けられている。壁仕上げ材は同仕上げ材及び脚部90を貫通する釘付けまたはネジ止めにより所定位置へ固定される。火事の際、フォーム・パネルが火事によって損傷するにも拘わらず、仕上げ材はクリップ86によって吊り下げられた状態に残される。図３に示すように、スコア・マーク64は複数の突出部26間において整列されており、釘打ち／ネジ止め作業中におけるクリップ86位置の確認を容易にする。
本発明の幾つかの効果を以下に要約する。
1.一般的に、従来のコネクタは横方向に互いに対向する２つのパネルの中央部分を橋渡しすることによりフォーム・パネルを横方向に連結している。この結果、垂直方向に上下に積み重ねられた２つのパネル間の接合部における直接支持のみが比較的弱いフォーム・パネルの連結によって提供される。これとは対照的に、本出願人のコネクタは前記の接合部を越えて２つのフォームパネルを直接橋渡しする。これにより接合部において生じる力に対する抵抗性が大きく増大される。
2.本出願人のコネクタは接合部を越えて長い距離を橋渡しするとともに、パネルの奥深くまで延びている。これにより、外側へ向けたパネルの撓みを防止し、壁を真っ直ぐな状態に維持する。
3.本出願人のフルサイズ・コネクタは複数のフォーム・パネルを連結すべく取付け可能であり、同連結は横方向（即ち、壁セクションを挟んで互いに対向する２つのパネル間の間隙の橋渡し）、水平方向（即ち、壁セクションの同一側において長さ方向に互いに隣接する２つのパネルの当接する端部を横切る橋渡し）及び垂直方向（即ち、壁セクションの同一側において垂直方向に互いに隣接する２つのパネルの橋渡し）に行い得る。これは壁セクションの構造的完全性を大きく強化する。
4.本出願人のパネル内に形成されたコネクタ収容通路は従来の幾つかのシステムのようにパネルの外面を大きく切断することによりパネルの強度を低下させることがない。
5.ハーフハイト・コネクタは構造的完全性を壁セクションの頂部及び底部に沿って提供する。これは従来の多くのシステムにおいて欠落している。
6.複数のコネクタ間を連結することによりコーナー接合部の強度を高め得る。
7.コネクタはパネルの一方の側部から他方の側部へ貫通して延びることがない。換言するならば、コネクタ自身はパネルを貫通して延びる伝熱ブリッジ（Thermal bridge）を形成しない。伝熱ブリッジは縮合の問題を招来し、パネルの絶縁性を低下させる。
以上の説明から当業者にとって自明であるように、本発明の実施において本発明の精神または範囲から逸脱することなく多くの別例及び変更が可能である。例えば、平面部材30,32及び34,36の間の変位を変更すべくコネクタ・バー38,40の長さを変更し得る。これにより、各種の厚さの壁の形成を促進する。本発明の範囲は以下に開示する請求の範囲に基づく。
【図１】
0003570723.tif 000002
【図２】
0003570723.tif 000003
【図３】
0003570723.tif 000004
【図４】
0003570723.tif 000005
【図５】
0003570723.tif 000006
【図６】
0003570723.tif 000007
【図７Ａ】
0003570723.tif 000008
【図７Ｂ】
0003570723.tif 000009